(57)【要約】【課題】ユーザへの柔軟なサービスを提供することの可能な通信システム、および移動通信システムにおけるサービス提供方法を提供すること。【解決手段】ゲートウェイ装置１０に、無線端末ＰＳから送出されるトーン信号を検出するトーン検出部１０４と、無線端末ＰＳからのサービス起動要求を検出するサービス起動要求検出部１０３と、サービス起動要求検出部１０３によりサービス起動要求を検出した場合に、要求された付加サービスを起動する付加サービス起動部１０７と、サービスの受付状態を通知するためのトーンをサービス要求元に送出するトーン送出部１０５と、通信相手先との通信を一時保留して当該通信相手先に保留音を送出する通信保留部１０６とを備える。【選択図】      図３
2008205744.tif 000002
【特許請求の範囲】
【請求項１】
移動通信システムの基地局を含む加入者網と、回線交換網と、ＩＰ（Internet Protocol）網とに接続されるゲートウェイ装置とを具備する通信システムにおいて、
前記ゲートウェイ装置は、
回線交換処理を行う回線交換接続手段と、
ＩＰパケット化された音声データを前記ＩＰ網と授受して通信を行うＩＰ通信機能とこのＩＰ通信を利用したＶｏＩＰ（Voice over IP）通信のための呼制御機能とを制御するＶｏＩＰ接続手段と、
前記移動通信システムに属する無線端末から送出されるトーン信号を検出するトーン検出手段と、
前記無線端末からのサービス起動要求を検出するサービス起動要求検出手段と、
このサービス起動要求検出手段により前記サービス起動要求を検出した場合に、要求された付加サービスを起動する付加サービス起動手段と、
サービスの受付状態を通知するためのトーンをサービス要求元に送出するトーン送出手段と、
通信相手先との通信を一時保留して当該通信相手先に保留音を送出する保留手段とを具備することを特徴とする通信システム。
【請求項２】
前記サービス起動要求検出手段により無線端末からのサービス起動要求を検出した場合に、
前記ゲートウェイ装置は、
前記通信相手先との通信を時保留して当該通信相手先に保留音を送出し、 
前記無線端末にサービス起動要求を受け付けたことを示すトーンを送出し、
次の無線端末からのサービス要求を受けて付加サービスを起動することを特徴とする請求項１に記載の通信システム。
【請求項３】
前記サービス起動要求検出手段は、システムで定義されるサービス起動要求方式を判定し、トーン検出方式またはメッセージ通信検出方式のいずれかに検出方式を変更可能であることを特徴とする請求項１に記載の通信システム。
【請求項４】
前記サービス起動要求検出手段は、前記サービス起動要求方式がトーン検出方式である場合に、前記無線端末から送信されるトーンを前記トーン検出手段により前記通信相手先との通信に影響することなく検出することを特徴とする請求項３に記載の通信システム。
【請求項５】
前記サービス起動要求検出手段は、サービス起動要求方式がメッセージ通信方式の場合には、前記無線端末から送信されてくるFacilityメッセージの中のダイヤル番号を判定して前記サービス起動要求を検出することを特徴とする請求項３に記載の通信システム。
【請求項６】
前記無線端末、前記基地局、および、前記ゲートウェイ装置間で新規メッセージを定義し、
前記サービス起動要求検出手段は、前記無線端末から前記新規メッセージが送信された場合に前記サービス起動要求を検出することを特徴とする請求項１に記載の通信システム。
【請求項７】
前記ゲートウェイ装置に、サービス起動要求コードを記憶するサービス起動要求番号記憶手段を備え、
前記サービス要求検出手段は、前記サービス起動要求番号記憶手段に記憶されるサービス起動要求コードに基づき、前記無線端末から送られてくるトーンまたはFacilityメッセージのダイヤル番号が前記サービス起動要求コードと一致するか否かを判定し、その結果に基づいて前記サービス起動要求を検出することを特徴とする請求項１に記載の通信システム。
【請求項８】
前記ゲートウェイ装置は、
前記サービス要求番号記憶手段に記憶されるサービス起動要求コードを、任意のコードに変更するためのサービス起動要求番号変更手段を備えることを特徴とする請求項７に記載の通信システム。
【請求項９】
前記ゲートウェイ装置は、前記付加サービスとして、会議回路を利用した会議通話機能、および転送機能を備えることを特徴とする請求項１に記載の通信システム。
【請求項１０】
移動通信システムの基地局を含む加入者網と、回線交換網と、ＩＰ（Internet Protocol）網とに接続されるゲートウェイ装置とを具備する通信システムにおいて、
前記ゲートウェイ装置は、
前記移動通信システムに属する無線端末からのサービス起動要求を検出するサービス起動要求検出手段と、
このサービス起動要求検出手段により前記サービス起動要求を検出した場合に、要求された付加サービスを起動する付加サービス起動手段と、
サービスの受付状態を通知するためのトーンをサービス要求元に送出するトーン送出手段と、
前記付加サービス毎のコードを記憶するサービスコード記憶手段とを具備し、
前記サービス起動要求検出手段は、通信に先立ち前記基地局を介して送信されてくる無線端末からの発信メッセージ内のダイヤル番号が前記サービスコード記憶手段に記憶されるサービスコードと一致する場合に前記付加サービスを起動することを特徴とする通信システム。
【請求項１１】
前記ゲートウェイ装置は、さらに前記サービスコード記憶手段に記憶されるサービスコードを変更・追加するサービスコード変更手段を備えることを特徴とする請求項１０に記載の通信システム。
【請求項１２】
前記サービス起動要求検出手段は、サービス起動の契機のみを検出し、再度ダイヤルされるコードが前記コード記憶手段に記憶されるサービスコードと一致する場合に前記付加サービスを起動することを特徴とする請求項１０に記載の通信システム。
【請求項１３】
移動通信システムの基地局を含む加入者網と、回線交換網と、ＩＰ（Internet Protocol）網とに接続されるゲートウェイ装置において実施され、前記移動通信システムにおけるサービス提供方法であって、
前記ゲートウェイ装置は、
回線交換処理を行う回線交換接続手段と、
ＩＰパケット化された音声データを前記ＩＰ網と授受して通信を行うＩＰ通信機能とこのＩＰ通信を利用したＶｏＩＰ（Voice over IP）通信のための呼制御機能とを制御するＶｏＩＰ接続手段と、
前記移動通信システムに属する無線端末から送出されるトーン信号を検出するトーン検出手段とを備え、
前記無線端末からのサービス起動要求を検出するサービス起動要求検出ステップと、
このサービス起動要求検出ステップにより前記サービス起動要求を検出した場合に、要求された付加サービスを起動する付加サービス起動ステップと、
サービスの受付状態を通知するためのトーンをサービス要求元に送出するトーン送出ステップと、
通信相手先との通信を一時保留して当該通信相手先に保留音を送出する保留ステップとを具備することを特徴とする移動通信システムにおけるサービス提供方法。
【請求項１４】
前記サービス起動要求検出ステップにより無線端末からのサービス起動要求を検出した場合に、
前記通信相手先との通信を時保留して当該通信相手先に保留音を送出し、
前記無線端末にサービス起動要求を受け付けたことを示すトーンを送出し、
次の無線端末からのサービス要求を受けて付加サービスを起動することを特徴とする請求項１３に記載の移動通信システムにおけるサービス提供方法。
【請求項１５】
前記サービス起動要求検出ステップは、システムで定義されるサービス起動要求方式を判定し、トーン検出方式またはメッセージ通信検出方式のいずれかに検出方式を変更するステップであることを特徴とする請求項１３に記載の移動通信システムにおけるサービス提供方法。
【請求項１６】
前記サービス起動要求検出ステップは、前記サービス起動要求方式がトーン検出方式である場合に、前記無線端末から送信されるトーンを前記トーン検出ステップにより前記通信相手先との通信に影響することなく検出するステップであることを特徴とする請求項１５に記載の移動通信システムにおけるサービス提供方法。
【請求項１７】
前記サービス起動要求検出ステップは、サービス起動要求方式がメッセージ通信方式の場合には、前記無線端末から送信されてくるFacilityメッセージの中のダイヤル番号を判定して前記サービス起動要求を検出するステップであることを特徴とする請求項１５に記載の移動通信システムにおけるサービス提供方法。
【請求項１８】
前記無線端末、前記基地局、および、前記ゲートウェイ装置間で新規メッセージを定義し、
前記サービス起動要求検出ステップは、前記無線端末から前記新規メッセージが送信された場合に前記サービス起動要求を検出するステップであることを特徴とする請求項１３に記載の移動通信システムにおけるサービス提供方法。
【請求項１９】
前記ゲートウェイ装置に、サービス起動要求コードを記憶するサービス起動要求番号記憶手段を備え、
前記サービス要求検出ステップは、前記サービス起動要求番号記憶手段に記憶されるサービス起動要求コードに基づき、前記無線端末から送られてくるトーンまたはFacilityメッセージのダイヤル番号が前記サービス起動要求コードと一致するか否かを判定し、その結果に基づいて前記サービス起動要求を検出するステップであることを特徴とする請求項１３に記載の移動通信システムにおけるサービス提供方法。
【請求項２０】
前記ゲートウェイ装置は、
前記サービス要求番号記憶手段に記憶されるサービス起動要求コードを、任意のコードに変更するためのサービス起動要求番号変更手段を備えることを特徴とする請求項１９に記載の移動通信システムにおけるサービス提供方法。
【請求項２１】
前記ゲートウェイ装置は、前記付加サービスとして、会議回路を利用した会議通話機能、および転送機能を備えることを特徴とする請求項１３に記載の移動通信システムにおけるサービス提供方法。
【請求項２２】
移動通信システムの基地局を含む加入者網と、回線交換網と、ＩＰ（Internet Protocol）網とに接続されるゲートウェイ装置において実施され、前記移動通信システムにおけるサービス提供方法であって、
前記ゲートウェイ装置は、
前記移動通信システムに属する無線端末からのサービス起動要求を検出するサービス起動要求検出ステップと、
このサービス起動要求検出ステップにより前記サービス起動要求を検出した場合に、要求された付加サービスを起動する付加サービス起動ステップと、
サービスの受付状態を通知するためのトーンをサービス要求元に送出するトーン送出ステップと、
前記付加サービス毎のコードを記憶するサービスコード記憶ステップとを実行し、
前記サービス起動要求検出ステップは、通信に先立ち前記基地局を介して送信されてくる無線端末からの発信メッセージ内のダイヤル番号が前記サービスコード記憶ステップで記憶されたサービスコードと一致する場合に、前記付加サービスを起動するステップであることを特徴とする移動通信システムにおけるサービス提供方法。
【請求項２３】
前記ゲートウェイ装置は、さらに前記サービスコード記憶ステップで記憶されたサービスコードを変更・追加するサービスコード変更ステップを実行することを特徴とする請求項２２に記載の移動通信システムにおけるサービス提供方法。
【請求項２４】
前記サービス起動要求検出ステップは、サービス起動の契機のみを検出し、再度ダイヤルされるコードが前記サービスコード記憶ステップで記憶されたサービスコードと一致する場合に、前記付加サービスを起動することを特徴とする請求項２２に記載の移動通信システムにおけるサービス提供方法。
【発明の詳細な説明】
【技術分野】
【０００１】
本発明は、基地局と回線交換網およびＩＰ（Internet Protocol）網とを相互に接続するゲートウェイ装置を用いた移動通信システムのサービス提供方法に関する。
【背景技術】
【０００２】
近年になり、情報通信ニーズの増大や通信の自由化が進展するにつれ、音声およびデータ通信を含む情報通信サービスが多様化してきている。このような背景から通信サービス分野に新たに参入する事業者（キャリア）も増えてきており、キャリア間のサービス競争が盛んになってきている。新規のキャリアはＮＣＣ（New Common Carrier）と称され、ＶｏＩＰ（Voice Over IP）などの技術を用いて様々なサービスを提供している。ＶｏＩＰとは音声信号をＩＰパケット化して伝送することにより音声系ネットワークとデータ系ネットワークとを統合する技術である。
【０００３】
多くのＮＣＣは自らの加入者回線を持たないので、特定のキャリアから加入者回線を既定の料金で借り受けることが多い、一方、ＮＣＣの多くは自らの資金でたとえばＩＰ網などのネットワークを自前で構築する。これに特定キャリアの回線交換網も加えて通信システムが形成され、一般ユーザへのサービスの提供にはこれらの設備が複合的に利用される。このようなネットワーク形態においては異種網間をゲートウェイ装置を介して接続することが多い（例えば特許文献１〜３を参照）。
【０００４】
ＮＣＣは加入者回線を借り受けているので、その使用料を固定料金と利用に応じた従量課金で特定キャリアに支払う必要が生じる。そこで、ゲートウェイ装置により加入者網、回線交換網およびＩＰ網を相互接続し、加入者網からのトラフィックをＩＰ網側に流すことが考えられる。近年では移動通信網の基地局をゲートウェイ装置に収容することが考えられている。
【０００５】
ところで、このようなゲートウェイ装置を用いた移動通信システムにおいて、トラフィックがＩＰ網を経由する場合には回線交換網で提供される付加サービスを利用できなくなる。また、付加サービスに対する機能およびその起動契機をゲートウェイ装置が備えていないので、ゲートウェイ装置を利用した付加サービスの提供は行われていない。さらに、基地局が有する付加サービスは該当の基地局内に閉じて提供されており、広域に及ぶサービスはすべて回線交換網経由で提供する必要がある。
【特許文献１】特開２００５−１９１７９９号公報
【特許文献２】特開２００２−２１８０５５号公報
【特許文献３】特開２００２−２２３３０９号公報
【発明の開示】
【発明が解決しようとする課題】
【０００６】
以上述べたように既存の移動通信システムでは、各種の付加サービスは、大別して回線交換網の有するサービス、基地局の有するサービス、またはサービスセンタの有するサービスによりユーザに提供される。ＩＰ網と回線交換網とに接続されるゲートウェイ装置はサービスを行うための起動契機を見つける手段を持たないので、ゲートウェイ装置でのサービスは通信接続に絡むもののみとなっている。さらに、ゲートウェイ装置がＩＰ網側へ迂回させたトラヒックについては、回線交換網の持つサービスと同等のサービスを提供することができないという問題もある。このようにゲートウェイ装置を介在させる場合、付加サービスを柔軟に提供することが難しい。  
本発明は上記事情によりなされたもので、その目的は、ユーザへの柔軟なサービスを提供することの可能な通信システム、および移動通信システムにおけるサービス提供方法を提供することにある。
【課題を解決するための手段】
【０００７】
上記目的を達成するためにこの発明の一態様によれば、移動通信システムの基地局を含む加入者網と、回線交換網と、ＩＰ（Internet Protocol）網とに接続されるゲートウェイ装置とを具備する通信システムにおいて、前記ゲートウェイ装置は、回線交換処理を行う回線交換接続手段と、ＩＰパケット化された音声データを前記ＩＰ網と授受して通信を行うＩＰ通信機能とこのＩＰ通信を利用したＶｏＩＰ（Voice over IP）通信のための呼制御機能とを制御するＶｏＩＰ接続手段と、前記移動通信システムに属する無線端末から送出されるトーン信号を検出するトーン検出手段と、前記無線端末からのサービス起動要求を検出するサービス起動要求検出手段と、このサービス起動要求検出手段により前記サービス起動要求を検出した場合に、要求された付加サービスを起動する付加サービス起動手段と、サービスの受付状態を通知するためのトーンをサービス要求元に送出するトーン送出手段と、通信相手先との通信を一時保留して当該通信相手先に保留音を送出する保留手段とを具備することを特徴とする通信システムが提供される。
【０００８】
上記構成によれば、ＩＰ網を用いたＶｏＩＰ通信、または、回線交換通信がゲートウェイ装置を経由して確立された後、ユーザは無線端末からサービス起動のために、サービス起動要求を送信する。このサービス起動要求はダイヤル情報として基地局を介してゲートウェイ装置まで到達し、ゲートウェイ装置はサービス起動要求と判断して通信相手を一時保留状態にし、要求した無線端末側へトーンを送出する。トーンを受信した無線端末は、要求するサービス種別に応じた番号をダイヤルし、これを受けたゲートウェイ装置はサービス種別に応じたサービスを提供する。このようにすることでゲートウェイ装置はサービス提供の契機を得ることができ、これに基づいてユーザへの柔軟なサービスを提供することが可能となる。
【発明の効果】
【０００９】
この発明によれば、ユーザへの柔軟なサービスを提供することの可能な通信システム、および移動通信システムにおけるサービス提供方法を提供することができる。
【発明を実施するための最良の形態】
【００１０】
図１は、本発明に係わるサービス提供方法が適用される通信システムの実施の形態を示すシステム図である。このシステムは、いずれも回線交換網ＸＮとＩＰ網ＤＮとに接続されるゲートウェイ装置１０，２０，３０を備える。ゲートウェイ装置１０には移動通信システムの呼出エリア１を形成する基地局ＣＳｎ，ＣＳｍが接続される。ゲートウェイ装置２０には呼出エリア２を形成する基地局ＣＳ１，ＣＳ２が接続され、ゲートウェイ装置３０には呼出エリア３を形成する基地局ＣＳ３が接続される。各無線端末ＰＳ（ＰＳ１〜ＰＳ３）は呼出エリア内において無線プロトコルを介して基地局ＣＳと接続し、ゲートウェイ装置間の回線を通して通信相手方と接続する。ＩＰ網ＤＮは広域のイーサネット（登録商標）やＩＰ−ＶＰＮ接続サービスなどのパケット通信網であり、ＮＣＣの独自網などとして形成される。
【００１１】
各ゲートウェイ装置１０，２０，３０は接続する基地局ＣＳから発せられた信号（音声データや映像、画像データなどのデジタル信号）を、回線交換網ＸＮまたはＩＰ網ＤＮのいずれかに振り分けて送出する。またゲートウェイ装置１０，２０，３０は回線交換網ＸＮおよびＩＰ網ＤＮからの無線端末に宛てた信号を基地局ＣＳに向けて送出し、当該端末に着信させる。これにより、回線交換網ＸＮおよびＩＰ網ＤＮに属する端末と、双方向の通信経路を任意に設定することができる。
【００１２】
図２は、図１のシステムにおいてサービスを提供する部分を示す模式図である。既存の技術では回線交換網ＸＮ、基地局（ＣＳｎなど）、およびＩＮ網にサービス提供部が設置されて種々のサービスを提供している。これに加えてこの実施形態では、中間ノードであるゲートウェイ装置１０，２０，（３０）に付加的な新サービスを提供するサービス提供部を追加する。
【００１３】
図３は図１のゲートウェイ装置１０，２０，３０を示す機能ブロック図である。図３において、加入者回線インタフェース２０１は基地局ＣＳ側に接続され、加入者回線インタフェース２０２は回線交換網ＸＮに接続される。ＩＰインタフェース２０３はＩＰ網ＤＮに接続される。いずれのインタフェース２０１〜２０３も制御部１００に接続される。
【００１４】
制御部１００は、回線交換接続部１０１と、ＶｏＩＰ接続部１０２と、サービス起動要求検出部１０３と、トーン検出部１０４と、トーン送出部１０５と、通信保留部１０６と、付加サービス起動部１０７とを備えるとともに、サービス起動要求コードを記憶するサービスコード１０８にも接続される。
【００１５】
このうち回線交換接続部１０１は加入者回線インタフェース２０１，２０２に接続されて回線交換接続を実現する。ＶｏＩＰ接続部１０２はＩＰインタフェース２０３によりＩＰパケット化された音声データをＩＰ網ＤＮと授受して通信を行う。またＶｏＩＰ接続部１０２はＶｏＩＰ通信機能のための呼制御処理も行う。
【００１６】
サービス起動要求検出部１０３は、無線端末ＰＳから基地局ＣＳを経由して送られてくるサービス起動要求を検出判定する。トーン検出部１０４は、サービス起動要求の送信方法がＰＢ、トーンによる場合の無線端末からのトーンを検出する。トーン送出部１０５は、サービスの受付状態を通知するためのトーンをサービス要求元に送出する。またトーン送出部１０５は、無線端末に次のステップ（最終的なサービスの起動を促す）に進むための例えばサービスダイヤルトーンを送出する。通信保留部１０６は、サービス起動要求を検出後、通信中の呼を一時保留する。付加サービス起動部１０７は、サービス起動要求を検出した場合に、要求された付加サービスを起動する。
【００１７】
図４は、図１のシステムにおいて実施されるサービス起動要求の処理フローを示す図である。図４において、ゲートウェイ装置１０は無線端末ＰＳ１と通信相手先との通信を確立し（ステップＳ４１）、システムで定義された無線端末ＰＳ１からのサービス起動方法がトーンによるものか、ＩＳＤＮメッセージ（Facilityメッセージ）によるものかを判断する（ステップＳ４２）。
【００１８】
ステップＳ４２においてトーンの場合は、ゲートウェイ装置１０はトーン検出部１０４を無線端末ＰＳ１側からのパスにのみ並列に接続し（ステップＳ４３）、メッセージによるものの場合は、トーン検出部１０４を接続しない。ここで、無線端末ＰＳ１において、サービス起動要求として指定された所定のコードのダイヤル、または無線端末ＰＳ１に新たに設けられた所定のキーが押下された場合には、無線端末ＰＳ１からサービス起動要求が送信され、基地局ＣＳ１ではその情報がそのまま転送されゲートウェイ装置１０に到達する（ステップＳ４４）。
【００１９】
ゲートウェイ装置１０ではシステムで定義された本来のサービス起動要求かを判断し（ステップＳ４５）、サービス起動要求であれば、通信相手を一時保留状態にし、保留音を相手端末に向けて送信する（ステップＳ４６）とともに、サービス起動要求を受け付けたことを示すトーン（サービスダイヤルトーン）を無線端末ＰＳ１側へ送出する（ステップＳ４７）。ステップＳ４５でサービス起動要求でなくメッセージが通知された場合には、通信を相手先に透過させる（ステップＳ４ｃ）。
【００２０】
無線端末ＰＳ１はサービスダイヤルトーンを受けることによりサービス起動要求が受け付けられたことを認識し、本来のサービス要求をダイヤルする（ステップＳ４８）。ゲートウェイ装置１０は受信したダイヤル情報（トーンまたはメッセージによるダイヤル情報）から、付加サービスの判定を行い（ステップＳ４９）、対応する付加サービスがある場合は、付加サービスを起動する（ステップＳ４ａ）。付加サービスコードが無い場合は元の相手との通話に戻す（ステップＳ４ｂ）。なおステップＳ４ｂにおいて、通話に戻す以外にビジートーンを送出してサービス拒否したことを通知することも可能である。
【００２１】
図５は、図１のシステムにおいて実施される通信前サービス起動処理を示すフローチャートである。図５において、無線端末ＰＳ１においてサービス起動要求として指定された所定のコードのダイヤル、または無線端末ＰＳ１に新たに設けられた所定のキーが押下された場合には、無線端末ＰＳ１からサービス起動要求が送信され、基地局ＣＳ１ではその情報がそのまま転送されてゲートウェイ装置１０に到達する（ステップＳ５１）。
【００２２】
ゲートウェイ装置１０はシステムで定義された本来のサービス起動要求かを判断し（ステップＳ５２）、サービス起動要求であれば、サービス起動要求を受け付けたことを示すトーン（サービスダイヤルトーン）を無線端末側へ送出する（ステップＳ５３）。無線端末ＰＳ１はサービスダイヤルトーンを受けることによりサービス起動要求が受け付けられたことを認識し、本来のサービス要求をダイヤルする（ステップＳ５５）。なおステップＳ５２においてサービス起動要求でなければ、発信処理を継続する（ステップＳ５４）。
【００２３】
ゲートウェイ装置１０はサービスコードをサービスコード記憶部１０８から読み出し（ステップＳ５６）、無線端末ＰＳ１から送られたサービス起動要求がサービスコードと一致するか否かを判定することで、対応する付加サービスの有無を判定する（ステップＳ５７）。対応する付加サービスがある場合は、付加サービスを起動する（ステップＳ５８）。付加サービスコードが無い場合はサービス提供を終了する。
【００２４】
以上説明したようにこの実施形態によれば、既存の技術においては基地局および回線交換網によってのみ提供されていたサービスをゲートウェイ装置が提供できるようになり、ＩＰ網を利用する通信を行っている場合においてもユーザは今までと同様のサービスを利用できるようになる。また、これまでは中間ノードであるゲートウェイ装置によるサービスは通信確立などといった数少ないものに留まっていた。これに対し本実施形態によれば、ゲートウェイ装置によりサービス起動契機を取得できるので、基地局、回線交換網にない新たなサービスを提供することも可能になる。このような新たなサービスには、例えば会議通話、保留、転送、コールウェイティングなどがある。これらのことから、より柔軟なサービス提供をユーザのニーズに合わせて、柔軟にかつ経済的に対応することの可能な移動通信システムを提供することができる。
【００２５】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００２６】
【図１】本発明に係わるサービス提供方法が適用される通信システムの実施の形態を示すシステム図。
【図２】図１のシステムにおいてサービスを提供する部分を示す模式図。
【図３】図１のゲートウェイ装置１０，２０，３０を示す機能ブロック図。
【図４】図１のシステムにおいて実施されるサービス起動要求の処理フローを示す図。
【図５】図１のシステムにおいて実施される通信前サービス起動処理を示すフローチャート。
【符号の説明】
【００２７】
ＸＮ…回線交換網、ＤＮ…ＩＰ網、１０，２０，３０…ゲートウェイ装置、ＣＳ１，ＣＳ２，ＣＳ３，ＣＳｎ，ＣＳｍ…基地局、ＰＳ１〜ＰＳ３…無線端末、２０１，２０２…加入者回線インタフェース、２０３…ＩＰインタフェース、１００…制御部、１０１…回線交換接続部、１０２…ＶｏＩＰ接続部、１０３…サービス起動要求検出部、１０４…トーン検出部、１０５…トーン送出部、１０６…通信保留部、１０７…付加サービス起動部、１０８…サービスコード記憶部
【図１】
2008205744.tif 000003
【図２】
2008205744.tif 000004
【図３】
2008205744.tif 000005
【図４】
2008205744.tif 000006
【図５】
2008205744.tif 000007